(57)【特許請求の範囲】
【請求項１】
基地局と複数の移動局とを結ぶＴＤＭ構成の無線回線を通信媒体とした無線パケット通信方法であって、
前記無線回線の構成単位である無線フレームのフレーム番号及びタイムスロット番号を、前記移動局に対する下り方向の送信タイミングとして指定する第１の下りパケット信号と、前記送信タイミングを指定しない第２の下りパケット信号とが、同一の下り無線回線上を共用して送信され、
前記第１の下りパケット信号と前記第１の下りパケット信号の間、又は前記第２の下りパケット信号と前記第１の下りパケット信号の間に、無線回線上の空きフレームが生じたとき、前記第２の下りパケット信号を前記空きフレームに収まる長さに分割して、前記空きフレームを埋めるように送信する
ことを特徴とする無線パケット通信方法。
【請求項２】
前記第２の下りパケット信号は、ｎ（ｎは任意の自然数）等分に分割でき、分割された各分割信号の間に、１つの前記第１の下りパケット信号だけを跨ぐように、前記第２の下りのパケット信号を分割するとき、前記第１の下りパケット信号のヘッダ部にある残りユニット数に対応する信号長に基づいて、分割された前記分割信号の間隔を特定する
ことを特徴とする請求項１に記載の無線パケット通信方法。
【請求項３】
連続する複数の前記第１の下りのパケット信号を跨ぐように、前記第２の下りのパケット信号をｎ（ｎは任意の自然数）等分に分割するとき、第１番目の分割信号内に第２番目の分割信号までのフレーム長を付与し、第２番目の分割信号内に第３番目の分割信号までのフレーム長を付与して、以降、第ｎ番目の分割信号までこれを繰り返すことにより、分割した信号の間隔が特定できるようにする
ことを特徴とする請求項１に記載の無線パケット通信方法。
【請求項４】
前記第２の下りパケット信号をｎ（ｎは任意の自然数）等分に分割するとき、少なくとも第１番目の分割信号内に送信先の移動局を識別するための情報が含まれる
ことを特徴とする請求項２又は３に記載の無線パケット通信方法。
【請求項５】
前記無線回線の回線使用率が所定の第１の基準値を上回り、前記無線回線上での前記第２の下りパケット信号に対する前記第１の下りパケット信号の占める割合が、所定の第２の基準値を上回り、さらに、前記無線回線上に生じる空きフレームの発生量が所定の第３の基準値を上回ったとき、前記第２の下りパケット信号の分割が開始される
ことを特徴とする請求項１乃至４のいずれかに記載の無線パケット通信方法。
【請求項６】
前記第１の下りパケット信号又は前記第２下りのパケット信号が上位装置から到着してから、前記第１の下りパケット信号又は前記第２下りのパケット信号が前記無線回線上に送信されるまでの間、バッファに滞留するも、到着時点から起算して、所定の基準時間内に前記無線回線上に送信されないとき、前記第１の下りパケット信号又は前記第２の下りパケット信号は破棄されることを特徴とする請求項１乃至５のいずれかに記載の無線パケット通信方法。
【請求項７】
前記無線回線の回線使用率に基づいて、前記第１の下りパケット信号又は前記第２の下りパケット信号の破棄動作が開始される
ことを特徴とする請求項１乃至５のいずれかに記載の無線パケット通信方法。
【請求項８】
複数ユニットから構成される前記第１の下りパケット信号のうち、先頭ユニットのみを指定された所定の無線フレームで送信し、残りのユニットを前記第２の下りパケット信号を跨ぐように分割して送信する
ことを特徴とする請求項１乃至７のいずれかに記載の無線パケット通信方法。
【請求項９】
複数の移動局との間で、ＴＤＭ構成の無線回線を通信媒体とした無線パケット通信方法で通信を行う無線パケット通信装置であって、
所定の上位局からのパケット信号を受信する受信手段と、
前記受信手段によって受信された前記パケット信号を受信した順に格納する格納手段と、
前記パケット信号を前記無線回線に送信するときのタイミングを生成する生成手段と、
前記生成手段によって生成された前記タイミングに従って、前記パケット信号を送信する送信手段と
を備え、
前記送信手段は、前記無線回線の構成単位である無線フレームのフレーム番号及びタイムスロット番号を、前記移動局に対する下り方向の送信タイミングとして指定する第１の下りパケット信号と、前記送信タイミングを指定しない第２の下りパケット信号とを、同一の下り無線回線上に送信し、前記第１の下りパケット信号と前記第１の下りパケット信号の間、又は前記第２の下りパケット信号と前記第１の下りパケット信号の間に、前記無線回線上の空きフレームが生じたとき、前記第２の下りパケット信号を前記空きフレームに収まる長さに分割して、前記空きフレームを埋めるように送信する
ことを特徴とする無線パケット通信装置。
【請求項１０】
複数の移動局との間で、ＴＤＭ構成の無線回線を通信媒体とした無線パケット通信方法で通信を行う無線パケット通信装置を制御する無線パケット通信制御プログラムであって、
所定の上位局からのパケット信号を受信する受信ステップと、
前記受信ステップにおいて受信された前記パケット信号を受信した順に格納する格納ステップと、
前記パケット信号を前記無線回線に送信するときのタイミングを生成する生成ステップと、
前記生成ステップにおいて生成された前記タイミングに従って、前記パケット信号を送信する送信ステップと
を前記無線パケット通信装置に実行させ、
前記送信ステップにおいては、前記無線回線の構成単位である無線フレームのフレーム番号及びタイムスロット番号を、前記移動局に対する下り方向の送信タイミングとして指定する第１の下りパケット信号と、前記送信タイミングを指定しない第２の下りパケット信号とを、同一の下り無線回線上に送信し、前記第１の下りパケット信号と前記第１の下りパケット信号の間、又は前記第２の下りパケット信号と前記第１の下りパケット信号の間に、前記無線回線上の空きフレームが生じたとき、前記第２の下りパケット信号を前記空きフレームに収まる長さに分割して、前記空きフレームを埋めるように送信するように制御する
ことを特徴とする無線パケット通信制御プログラム。
【発明の詳細な説明】
【０００１】
【発明の属する技術分野】
本発明は、無線パケット通信方法に関し、特に、基地局と複数の移動局とを結ぶ無線回線を通信媒体としたパケット通信方法における、ディジタル移動通信（ＰＤＣ）方式のレイヤ１で規定されるパケット通信用物理チャネルの下り伝送効率を向上させる無線パケット通信方法に関する。
【０００２】
【従来の技術】
基地局と複数の移動局とを結ぶ無線回線を通信媒体としたパケット通信方法では、無線回線の伝送効率を向上させるための様々な技術が検討されており、携帯電話等に代表されるディジタル移動通信（ＰＤＣ：Ｐｅｒｓｏｎａｌ  Ｄｉｇｉｔａｌ  Ｃｅｌｌｕｌａｒ）方式の無線パケット通信は、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）規格である「ＲＣＲ  ＳＴＤ−２７Ｆ以降」で標準化されている。
【０００３】
ＡＲＩＢ規格によれば、基地局と複数の移動局とを結ぶパケット通信用の無線回線は、パケット通信用物理チャネルと呼ばれる無線回線がレイヤ１で規定されており、１タイムスロットが１無線回線に相当するものであって、これを３タイムスロット束ねた構成をとるサブフレーム（以下フレームと略す）と、３６サブフレームで構成されるスーパーフレームと、ｎ（ｎは任意の自然数）個のスーパーフレームで構成されるハイパーフレームとからなるＴＤＭ（ｔｉｍｅ  ｄｉｖｉｓｉｏｎ  ｍｕｌｔｉｐｌｅｘｉｎｇ）にて無線回線が構成される。
【０００４】
一般に、ホスト側からターミナル方向へのファイル転送が多く発生するので、下り無線回線の伝送能力を高めることが有用であり、下りパケット信号を１本の無線回線（１タイムスロット）を利用して伝送する低速伝送モードと、同時に最大３本の無線回線（３タイムスロット）を利用して伝送する高速伝送モードが提供されている。
【０００５】
一方、移動局のバッテリーセービング用に間欠受信動作を可能にする必要があるので、上記ＴＤＭ構成の各種無線フレームを呼び出し群毎に分け、群分けされた移動局宛にパケット信号を送信する場合には、特定の無線フレームを指定したパケット信号（以下、指定信号と略す）を利用して通信を行う。
【０００６】
これに対して、上記低速／高速伝送モードにおけるパケット信号は伝送速度を重視するので、特定の無線フレームを指定しないパケット信号（以下、無指定信号と略す）を利用して通信を行う。
【０００７】
【発明が解決しようとする課題】
このように、指定信号と無指定信号が同一無線回線上を共用しながら伝送される場合、指定信号は特定の無線フレームタイミングでしか送信できないため、これより手前に空きフレームが生じてしまう。このため、同一無線回線上で指定信号の占める割合が増えると、上記空きフレームも増え、無線回線上の回線使用効率が低下してしまう。
【０００８】
従って、従来のパケット通信方法には、次のような問題点がある。第１の問題点は、基地局と複数の移動局を結ぶ同一の無線回線上を、上記指定信号と無指定信号とが共用して伝送されると、無線回線の使用効率が低下してしまうことである。その理由は、指定信号は特定の無線フレームタイミングでしか送信できないので、これより手前の無線フレームが空きフレームになる可能性が高くなるためである。空きフレームが生じた場合に、空きフレーム長以下の無指定信号を順次送信できればよいが、そうでない場合には空きフレームを埋めることができず、無線回線上が虫食い状態になる。また、無線回線上に指定信号の占める割合が増えると空きフレームが生じる傾向が増すためである。
【０００９】
第２の問題点は、上記指定信号と無指定信号が同一の無線回線上を共用して伝送されると、指定信号に無指定信号が阻まれて無指定信号を本来の伝送速度で中継できなくなることである。その理由は、指定信号は、所定の無線フレームタイミングになるまで基地局内のバッファに滞留するが、このような信号が多量に発生すると、バッファが満杯となり、後続の指定信号はもちろんのこと無指定信号まで基地局内で破棄される可能性が高くなるためである。
【００１０】
本発明はこのような状況に鑑みてなされたものであり、基地局と複数の移動局とを結ぶ無線パケット通信方法において、指定信号と無指定信号とが同一の無線回線を共有した伝送形態をとる場合でも、無線回線の使用効率の低下を抑え、かつ無指定信号本来の伝送速度を維持することができるようにするものである。
【００１１】
【課題を解決するための手段】
請求項１に記載の無線パケット通信方法は、基地局と複数の移動局とを結ぶＴＤＭ構成の無線回線を通信媒体とした無線パケット通信方法であって、無線回線の構成単位である無線フレームのフレーム番号及びタイムスロット番号を、移動局に対する下り方向の送信タイミングとして指定する第１の下りパケット信号と、送信タイミングを指定しない第２の下りパケット信号とが、同一の下り無線回線上を共用して送信され、第１の下りパケット信号と第１の下りパケット信号の間、又は第２の下りパケット信号と第１の下りパケット信号の間に、無線回線上の空きフレームが生じたとき、第２の下りパケット信号を空きフレームに収まる長さに分割して、空きフレームを埋めるように送信することを特徴とする。
また、第２の下りパケット信号は、ｎ（ｎは任意の自然数）等分に分割でき、分割された各分割信号の間に、１つの第１の下りパケット信号だけを跨ぐように、第２の下りパケット信号を分割するとき、第１の下りパケット信号のヘッダ部にある残りユニット数に対応する信号長に基づいて、分割された分割信号の間隔を特定するようにすることができる。
また、連続する複数の第１の下りパケット信号を跨ぐように、第２の下りパケット信号をｎ（ｎは任意の自然数）等分に分割するとき、第１番目の分割信号内に第２番目の分割信号までのフレーム長を付与し、第２番目の分割信号内に第３番目の分割信号までのフレーム長を付与して、以降、第ｎ番目の分割信号までこれを繰り返すことにより、分割した信号の間隔が特定できるようにすることができる。
また、第２の下りパケット信号をｎ（ｎは任意の自然数）等分に分割するとき、少なくとも第１番目の分割信号内に送信先の移動局を識別するための情報が含まれるようにすることができる。
また、無線回線の回線使用率が所定の第１の基準値を上回り、無線回線上での第２の下りパケット信号に対する第１の下りパケット信号の占める割合が、所定の第２の基準値を上回り、さらに、無線回線上に生じる空きフレームの発生量が所定の第３の基準値を上回ったとき、第２の下りパケット信号の分割が開始されるようにすることができる。
また、第１の下りパケット信号又は第２の下りパケット信号が上位装置から到着してから、第１の下りパケット信号又は第２の下りパケット信号が無線回線上に送信されるまでの間、バッファに滞留するも、到着時点から起算して、所定の基準時間内に無線回線上に送信されないとき、第１の下りパケット信号又は第２の下りパケット信号は破棄されるようにすることができる。
また、無線回線の回線使用率に基づいて、第１の下りパケット信号又は第２の下りパケット信号の破棄動作が開始されるようにすることができる。
また、複数ユニットから構成される第１の下りパケット信号のうち、先頭ユニットのみを指定された所定の無線フレームで送信し、残りのユニットを第２の下りパケット信号を跨ぐように分割して送信するようにすることができる。
請求項９に記載の無線パケット通信装置は、複数の移動局との間で、ＴＤＭ構成の無線回線を通信媒体とした無線パケット通信方法で通信を行う無線パケット通信装置であって、所定の上位局からのパケット信号を受信する受信手段と、受信手段によって受信されたパケット信号を受信した順に格納する格納手段と、パケット信号を無線回線に送信するときのタイミングを生成する生成手段と、生成手段によって生成されたタイミングに従って、パケット信号を送信する送信手段とを備え、送信手段は、無線回線の構成単位である無線フレームのフレーム番号及びタイムスロット番号を、移動局に対する下り方向の送信タイミングとして指定する第１の下りパケット信号と、送信タイミングを指定しない第２の下りパケット信号とを、同一の下り無線回線上に送信し、第１の下りパケット信号と第１の下りパケット信号の間、又は第２の下りパケット信号と第１の下りパケット信号の間に、無線回線上の空きフレームが生じたとき、第２の下りパケット信号を空きフレームに収まる長さに分割して、空きフレームを埋めるように送信する。
請求項１０に記載の無線パケット通信制御プログラムは、複数の移動局との間で、ＴＤＭ構成の無線回線を通信媒体とした無線パケット通信方法で通信を行う無線パケット通信装置を制御する無線パケット通信制御プログラムであって、所定の上位局からのパケット信号を受信する受信ステップと、受信ステップにおいて受信されたパケット信号を受信した順に格納する格納ステップと、パケット信号を無線回線に送信するときのタイミングを生成する生成ステップと、生成ステップにおいて生成されたタイミングに従って、パケット信号を送信する送信ステップとを無線パケット通信装置に実行させ、送信ステップにおいては、無線回線の構成単位である無線フレームのフレーム番号及びタイムスロット番号を、移動局に対する下り方向の送信タイミングとして指定する第１の下りパケット信号と、送信タイミングを指定しない第２の下りパケット信号とを、同一の下り無線回線上に送信し、第１の下りパケット信号と第１の下りパケット信号の間、又は第２の下りパケット信号と第１の下りパケット信号の間に、無線回線上の空きフレームが生じたとき、第２の下りパケット信号を空きフレームに収まる長さに分割して、空きフレームを埋めるように送信するように制御することを特徴とする。
本発明に係る無線パケット通信方法においては、無線回線の構成単位である無線フレームのフレーム番号及びタイムスロット番号を、移動局に対する下り方向の送信タイミングとして指定する第１の下りパケット信号と、送信タイミングを指定しない第２の下りパケット信号とが、同一の下り無線回線上を共用して送信され、第１の下りパケット信号と第１の下りパケット信号の間、又は第２の下りパケット信号と第１の下りパケット信号の間に、無線回線上の空きフレームが生じたとき、第２の下りパケット信号を空きフレームに収まる長さに分割して、空きフレームを埋めるように送信する。
【００１２】
【発明の実施の形態】
次に、本発明の実施の形態について図面を参照して詳細に説明する。図１は、本発明が適用される、ＴＤＭ（ｔｉｍｅ  ｄｉｖｉｓｉｏｎ  ｍｕｌｔｉｐｌｅｘｉｎｇ）構成の無線回線を介して無線パケット信号を送信する基地局の一実施の形態の構成例を示すブロック図である。図１を参照すると、基地局１０１は、上位局１０８と、複数の移動局Ａ１０６と、移動局Ｂ１０７とに対向し、バッファ１０２、受信手段１０３、送信手段１０４、及び無線フレームタイミング生成手段１０５から構成されている。
【００１３】
図２は、無線回線を介してパケット信号が移動局に中継される様子を示す概念図である。図２に示すように、中継すべきパケット信号Ａ２０１、及びパケット信号Ｂ２０２が、無線回線２０３を介して、移動局Ａ２０４、及び移動局Ｂ２０５に中継される。パケット信号Ａ２０１は、信号長が３ユニットで、無線送信タイミングがスーパフレーム番号（以下ＳＦと略す）／フレーム番号（以下Ｆと略す）／スロット番号（以下Ｓと略す）の全てが無指定の無指定信号である。パケット信号Ｂ２０２は、信号長が２ユニットで、無線送信タイミングが（ＳＦ／Ｆ／Ｓ）＝（無指定／３／１）の指定信号である。
【００１４】
図３は、無指定信号が指定信号を跨いで分割される様子を示す概念図である。図３に示すように、無線回線３０１のスロット番号０のフレーム番号０，１，３，４，６，８，９には、指定信号３０２（図中の斜線部の信号）が挿入され、フレーム番号２，５，７には、パケット信号Ｂ３０４の各ユニットが挿入されている。また、無線回線３０１のスロット番号１のフレーム番号０，４，５，６には、指定信号３０２が挿入され、フレーム番号１乃至３，及びフレーム番号７乃至９には、パケット信号Ａ３０３の各ユニットが挿入されている。
【００１５】
図４は、指定信号及び無指定信号が無線回線を埋める様子を、従来方法と上記実施の形態の方法とで対比しながら示した概念図である。図４を参照すると、従来方法による無線回線上の信号配置状況は、指定信号の後に無指定信号が配置され、指定信号と指定信号の間が空きフレームとなっている。一方、上記実施の形態による無線回線上の信号配置状況は、指定信号のない空きフレームを無指定信号が埋めるような配置となっている。
【００１６】
次に、本実施の形態の動作について詳細に説明する。図１に示すように、基地局１０１が、上位局１０８から送信されたパケット信号１０９を受信すると、受信したパケット信号１０９は、到着した順に受信手段１０３によってバッファ１０２に供給され、バッファ１０２に格納される。続いて、無線フレームタイミング生成手段１０５によって生成された送信タイミング信号が送信手段１０４に供給される。送信手段１０４は、無線フレームタイミング生成手段１０５より供給された送信タイミング信号に基づいて、バッファ１０２に格納されているパケット信号１０９を取り出し、取り出したパケット信号を移動局Ａ１０６、移動局Ｂ１０７に送信する。
【００１７】
このパケット信号１０９の中継動作を、図２を参照して説明する。上位局から受信したパケット信号Ａ２０１は、無線フレームタイミングが無指定の信号であるため、無線回線２０３の最も早い無線フレームであるフレーム番号Ｆ＝２、タイムスロット番号Ｓ＝０のタイミングで、パケット信号Ａ２０１の先頭ユニットＡ−１を無線回線２０３上に送信する。続いてＦ＝３／Ｓ＝０のタイミングで、ユニットＡ−１の次の継続ユニットＡ−２を送信し、最終ユニットＡ−３をＦ＝４／Ｓ＝０のタイミングで送信する。これによって基地局の中継動作は完了する。
【００１８】
パケット信号Ａ２０１の先頭ユニットＡ−１の中には、パケット信号Ａ２０１が移動局Ａ２０４宛であることを示す移動局識別番号（ＭＳＩ等の可変長情報）が設定されており、移動局Ａ２０４は、この移動局識別番号を見て、自分宛の信号であると判断し、ユニットＡ−１、ユニットＡ−２の順で、ユニットＡ−３までの信号を順次受信し、ユニットＡ−１乃至Ａ−３を受信し終わると、これら３ユニットの信号を合体してパケット信号Ａ２０１を再生する。
【００１９】
また、後続のパケット信号Ｂ２０２は、移動局Ｂ２０５宛の信号であり、Ｆ＝３／Ｓ＝１のタイミングで先頭ユニットＢ−１を送信し、Ｆ＝４／Ｓ＝１のタイミングで最終ユニットＢ−２を送信する。移動局Ｂ２０５は、上述した移動局Ａ２０４の場合と基本的に同様の受信動作を行い、パケット信号Ｂ２０２を再生する。
【００２０】
次に、図３を参照して、本実施の形態において、無指定信号を分割しながら指定信号によって生じた空きフレームを埋めて行く手順について説明する。まず、無線回線３０１は、指定信号３０２によって図中の斜線部の無線回線が埋められる。その無線回線に、６ユニット無指定のパケット信号Ａ３０３を送信する場合、最も早い無線送信タイミングがＦ＝１／Ｓ＝１なので、対応する無線フレームの位置に先頭ユニットＡ１／６を送信する。
【００２１】
その際に、次隣接フレームであるＦ＝２／Ｓ＝１は空きフレームであるため、Ａ１／６とＡ２／６は連続して送信できる。また、その分割フレーム間隔が１フレームであるから、Ａ１／６の信号内に分割フレーム間隔情報として１フレームを設定してから、Ａ１／６信号を送信する。同様に、次隣接フレームであるＦ＝３／Ｓ＝１は空きフレームであるため、Ａ３／６を送信することができるので、Ａ２／６の信号内に分割フレーム間隔情報として１フレームを設定してから、Ａ２／６を送信する。
【００２２】
次に、Ａ３／６信号を送出するフレーム（Ｆ＝３／Ｓ＝１）の次フレーム（Ｆ＝４／Ｓ＝１）は指定信号Ｃが既に設定されているので、この指定信号Ｃのヘッダ内にある信号長（残りユニット数）を参照する。いまの場合、信号長は１であるから、合計２ユニットの指定信号Ｃであることがわかる。
【００２３】
そこで、上記指定信号Ｃを送出するフレームの次のフレーム、即ち、Ａ３／６信号を送出するフレームの（２（指定信号Ｃのユニット数）＋１）フレーム先のフレーム（Ｆ＝６／Ｓ＝１）を調べると、指定信号Ｄ（残りユニット数０）が設定されていることがわかる。同様に、フレーム（Ｆ＝６／Ｓ＝１）から（０＋１）フレーム先のフレーム（Ｆ＝７／Ｓ＝１）の状況を調べると、空き状態であることがわかり、このフレームに、Ａ４／６信号を設定することを決定し、Ａ３／６信号内の分割フレーム間隔情報に４を設定し、Ａ３／６信号を送信する。続いてフレーム（Ｆ＝７／Ｓ＝１）にＡ４／６信号を、その信号内の分割フレーム間隔情報に１を設定して送信する。次に、フレーム（Ｆ＝８／Ｓ＝１）にＡ５／６信号を、その信号内の分割フレーム間隔情報に１を設定して送信する。最後に、フレーム（Ｆ＝９／Ｓ＝１）にＡ６／６信号を、その信号内の分割フレーム間隔情報に０を設定して送信する。ここで、分割フレーム間隔情報として０が設定されたことは、Ａ６／６信号がパケット信号Ａ３０３の最後のユニットであることを示している。このように、パケット信号Ａ３０３を、指定信号によって生じた空きフレームを埋めるようにして送信することができる。
【００２４】
最後に、図４を参照して、本発明による方法によって、無線回線の使用効率が、従来の方法に比べて向上したことを説明する。従来方法の無線回線の信号配置状況４０１では、Ｆ＝１０／Ｓ＝０から始まる指定信号の手前３フレーム（Ｆ＝７／Ｓ＝０乃至Ｆ＝９／Ｓ＝０）が空き状態になっている。同様に、Ｆ＝９／Ｓ＝１から始まる指定信号の手前５フレーム（Ｆ＝４／Ｓ＝１乃至Ｆ＝８／Ｓ＝１）が空き状態になっている。
【００２５】
フレーム（Ｆ＝１５／Ｓ＝０）から始まる無指定信号の信号長は、７ユニットであり、フレーム（Ｆ＝７／Ｓ＝０）乃至フレーム（Ｆ＝９／Ｓ＝０）の空きフレームの信号長以上であるため、やむなく指定信号の直後から送信されることとなる。同様に、フレーム（Ｆ＝１２／Ｓ＝１）から始まる無指定信号の信号長は、１１ユニットであり、フレーム（Ｆ＝４／Ｓ＝１）乃至フレーム（Ｆ＝８／Ｓ＝１）の空きフレームの信号長以上であるため、やむなく指定信号の直後から送信されることとなる。同様に、フレーム（Ｆ＝１８／Ｓ＝２）から始まる無指定信号の信号長は、４ユニットであり、フレーム（Ｆ＝１０／Ｓ＝２）乃至フレーム（Ｆ＝１３／Ｓ＝２）の空きフレームの信号長と同一であるが、この無指定信号は、他の無指定信号よりも時間的に後に送信されるべきものであるか、又は優先順位が低いものであるため、上記空きフレームで送信することができない。即ち、無指定信号は、上位局１０８から供給された順に、又は優先順位が高いものから順に送出しなければならない。従って、この場合も、やむなく指定信号の直後から送信されることとなる。このため、指定信号の手前に空きフレームが発生することとなる。
【００２６】
一方、本発明の実施の形態の無線回線の信号配置状況４０２を参照すると、フレーム（Ｆ＝１０／Ｓ＝０）から始まる指定信号の手前３フレームが、後続であった無指定信号のうちの３ユニットによって埋め尽くされていることがわかる。同様に、フレーム（Ｆ＝９／Ｓ＝１）から始まる指定信号の手前の５フレームも、後続の無指定信号のうちの５ユニットによって埋め尽くされている。このように、本実施の形態によれば、無線回線上に無駄なく指定信号及び無指定信号を配置することが可能となり、無線回線を効率的に使用することが可能となる。
【００２７】
また、無線回線の回線使用率を定めるしきい値１、無線回線上で指定信号の占める割合を定めるしきい値２、及び無線回線上に生じる空きフレームの発生量を定めるしきい値３を予め決めておき、これらのしきい値を上回る場合に初めて、無指定信号の分割動作を開始するようにすることができる。また、指定信号又は無指定信号が、上位局１０８から到着してから無線回線上に送信するまでの間、バッファ１０２に滞留するが、到着時点から起算して所定の時間内に無線回線上に送信できない場合、この信号を破棄するようにすることができる。また、回線使用率（全フレームに対する、信号送信に使用したフレームの割合）に従って、信号破棄動作を開始し、複数ユニットから構成される指定信号においては、先頭ユニットのみを指定された無線フレームで送信し、残りのユニットを上述した無指定信号の場合と同様の方法で分割送信するようにすることもできる。
【００２８】
以上説明したように、本実施の形態によれば、基地局と複数の移動局とを結ぶ無線回線上で効率よく信号伝送することが可能となる。これにより、次のような効果がある。第１の効果は、同一無線回線上を指定信号と無指定信号とが共用して伝送される場合に生じる回線使用効率の低下を抑えることができることである。その理由は、指定信号が特定の無線送信フレームタイミングでしか送信できない場合に生じるその指定信号が送信されたフレームの手前の空きフレームに、後続の無指定信号を隙間なく埋め尽くすことが可能となったからである。また、無線回線上を指定信号が占める割合が増えることにより、空きフレームが発生する割合が増えても、同様に、無指定信号によって空きフレームを埋め尽くすことができるので、回線使用効率の低下を抑えることができる。
【００２９】
第２の効果は、上記指定信号と無指定信号が同一の無線回線上を共用して伝送された場合に、指定信号に無指定信号が阻まれて無指定信号が本来の伝送速度で中継できなくなるという状況が回避されることである。その理由は、指定信号は、所定の無線フレームタイミングになるまで基地局内のバッファに滞留するが、このような信号が多量に発生しても、バッファが満杯になるまでは、後続の無指定信号は、先発の指定信号によって生じる空きフレームを利用して順次掃けて行くためである。
【００３０】
第３の効果は、上記無線回線上を無指定信号よりも指定信号が多量に中継される場合であっても、伝送効率の低下を抑えることができることである。その理由は、指定信号の先頭ユニットのみを、移動局が待ち受けている、指定された無線フレームタイミングで送信し、残りのユニットを上記無指定信号の分割送信の場合と同様の手段で送信することにより、指定信号同士による無線回線上の空きフレームが発生しないようにすることができるからである。
【００３１】
なお、上記実施の形態の構成及び動作は例であって、本発明の趣旨を逸脱しない範囲で適宜変更することができることは言うまでもない。
【００３２】
【発明の効果】
以上の如く、本発明に係る無線パケット通信方法によれば、無線回線の構成単位である無線フレームのフレーム番号及びタイムスロット番号を、移動局に対する下り方向の送信タイミングとして指定する第１の下りパケット信号と、送信タイミングを指定しない第２の下りパケット信号とが、同一の下り無線回線上を共用して送信され、第１の下りパケット信号と第１の下りパケット信号の間、又は第２の下りパケット信号と第１の下りパケット信号の間に、無線回線上の空きフレームが生じたとき、第２の下りパケット信号を空きフレームに収まる長さに分割して、空きフレームを埋めるように送信するようにしたので、無線回線の使用効率を高めることができる。
【図面の簡単な説明】
【図１】本発明が適用される無線パケット信号を送信する基地局の構成例を示す図である。
【図２】無線回線を介してパケット信号が移動局に中継される様子を示す概念図である。
【図３】無指定信号が指定信号を跨いで分割される様子を示す概念図である。
【図４】従来方法と本発明の方法における無線回線の使用状況を示す概念図である。
【符号の説明】
１０１  基地局
１０２  バッファ
１０３  受信手段
１０４  送信手段
１０５  無線フレームタイミング生成手段
１０６  移動局Ａ
１０７  移動局Ｂ
１０８  上位局
１０９  パケット信号
２０１  パケット信号Ａ
２０２  パケット信号Ｂ
２０３  無線回線
２０４  移動局Ａ
２０５  移動局Ｂ
３０１  無線回線
３０２  指定信号
３０３  パケット信号Ａ
３０４  パケット信号Ｂ
４０１  従来方法による無線回線使用状況
４０２  本発明の方法による無線回線使用状況
【図１】
0003571010.tif 000002
【図２】
0003571010.tif 000003
【図３】
0003571010.tif 000004
【図４】
0003571010.tif 000005